(57)【要約】【課題】室内外に圧力差を生じる部屋の出入口について、新設であっても、既設であっても容易に適用可能であり、かつ開閉に必要な力の増大を抑制可能な開き戸装置を提供する。【解決手段】開き戸装置１は、蝶番２を軸に弧を描いて開閉し、かつ通気口３を有する戸体５と、戸体５に対して滑動して通気口３を開閉させる引き戸体７と、バネ力によって戸体５から突出する掛け金８と、戸体５に回転自在に支持されて、回転操作されるとバネ力に抗して掛け金８を戸体５に没入させる取っ手９と、取っ手９がバネ力に抗して回転操作されると引き戸体７を滑動させて通気口３を開く一方、取っ手９がバネ力によって初期位置に復帰されると引き戸体７を滑動させて通気口３を閉じるように取っ手９と引き戸体７とを連動させる連動機構１１と、を備えている。【選択図】  図２
2016023433.tif 000002
【特許請求の範囲】
【請求項１】
蝶番を軸に弧を描いて開閉し、かつ小窓を有する戸体と、
前記戸体に対して滑動して前記小窓を開閉させる引き戸体と、
バネ力によって前記戸体から突出する掛金と、
前記戸体に回転自在に支持されて、回転操作されると前記バネ力に抗して前記掛金を前記戸体に没入させる取っ手と、
前記取っ手が前記バネ力に抗して回転操作されると前記引き戸体を滑動させて前記小窓を開く一方、前記取っ手が前記バネ力によって初期位置に復帰されると前記引き戸体を滑動させて前記小窓を閉じるように前記取っ手と前記引き戸体とを連動させる連動機構と、を備える開き戸装置。
【請求項２】
前記小窓は、前記取っ手よりも上方に配置されている請求項１に記載の開き戸装置。
【請求項３】
前記小窓は、大人の平均身長よりも上方に配置されている請求項１または２に記載の開き戸装置。
【請求項４】
前記連動機構は、前記引き戸体と前記取っ手とを連動させる節部材と、前記節部材に作用して前記節部材の重量による前記取っ手の操作力への影響を軽減させる弾性部材と、を備える請求項１から３のいずれか１項に記載の開き戸装置。
【請求項５】
前記引き戸体は、前記戸体の表裏のうち、より高い圧力に晒される面の側に配置される請求項１から４のいずれか１項に記載の開き戸装置。
【発明の詳細な説明】
【技術分野】
【０００１】
本発明は、開き戸装置に関する。
【背景技術】
【０００２】
例えば発電所のタービン建屋は、排熱や排気のために室内の気圧が室外の気圧よりも低い圧力（負圧）になる部屋を有している。このような部屋の出入口の開き戸は、室内外間の気圧差によって開閉するために必要な力が大きくなってしまう。
【０００３】
そこで、換気口の穿たれた戸体と、換気口に設けられた開閉自在なガラリ（鎧窓、ルーバー）とを備え、このガラリを開き戸の取っ手に連動させた開き戸装置が知られている。
【先行技術文献】
【特許文献】
【０００４】
【特許文献１】特開昭６１−２７０４９１号公報
【発明の概要】
【発明が解決しようとする課題】
【０００５】
従来の開き戸装置は、取っ手に加えられる操作力をガラリへ伝達する複数の節（リンク）を有する複雑な連動機構を備えている。この複雑な連動機構を既設の開き戸に適用する場合には、開き戸への大幅な加工を要することになり、現実的ではない。
【０００６】
そこで、本発明は、室内外に圧力差を生じる部屋の出入口について、新設であっても、既設であっても容易に適用可能であり、かつ開閉に必要な力の増大を抑制可能な開き戸装置を提供することを目的とする。
【課題を解決するための手段】
【０００７】
前記の課題を解決するため本発明に係る開き戸装置は、蝶番を軸に弧を描いて開閉し、かつ小窓を有する戸体と、前記戸体に対して滑動して前記小窓を開閉させる引き戸体と、バネ力によって前記戸体から突出する掛金と、前記戸体に回転自在に支持されて、回転操作されると前記バネ力に抗して前記掛金を前記戸体に没入させる取っ手と、前記取っ手が前記バネ力に抗して回転操作されると前記引き戸体を滑動させて前記小窓を開く一方、前記取っ手が前記バネ力によって初期位置に復帰されると前記引き戸体を滑動させて前記小窓を閉じるように前記取っ手と前記引き戸体とを連動させる連動機構と、を備えている。
【図面の簡単な説明】
【０００８】
【図１】本発明の実施形態に係る開き戸装置を示す正面図。
【図２】本発明の実施形態に係る開き戸装置を示す正面図。
【図３】本発明の実施形態に係る開き戸装置の小窓周辺を示す断面図。
【図４】本発明の実施形態に係る開き戸装置の取っ手周辺を示す側面図。
【発明を実施するための形態】
【０００９】
本発明に係る開き戸装置の実施形態について図１から図４を参照して説明する。
【００１０】
図１および図２は、本発明の実施形態に係る開き戸装置を示す正面図である。
【００１１】
図３は、本発明の実施形態に係る開き戸装置の小窓周辺を示す断面図である。
【００１２】
図４は、本発明の実施形態に係る開き戸装置の取っ手周辺を示す側面図である。
【００１３】
図１から図４に示すように、本実施形態に係る開き戸装置１は、蝶番２を軸に弧を描いて開閉し、かつ通気口３を有する戸体５と、戸体５に対して滑動して通気口３を開閉させる引き戸体７と、バネ力によって戸体５から突出する掛け金８と、戸体５に回転自在に支持されて、回転操作されるとバネ力に抗して掛け金８を戸体５に没入させる取っ手９と、取っ手９がバネ力に抗して回転操作されると引き戸体７を滑動させて通気口３を開く一方、取っ手９がバネ力によって初期位置に復帰されると引き戸体７を滑動させて通気口３を閉じるように取っ手９と引き戸体７とを連動させる連動機構１１と、を備えている。
【００１４】
開き戸装置１は、室内外に圧力差のある部屋の出入口Ｏに適用される。部屋は、例えば発電所のタービン建屋の一室である。部屋の室内側Ｒｉｎの圧力は、室外側Ｒｏｕｔの圧力よりも低い。
【００１５】
なお、図１は引き戸体７によって通気口３が閉じられた状態を示し、図２は通気口３が開かれた状態を示す。
【００１６】
板状の戸体５は縦に長く、横に短い。長辺のうち一方の辺は、部屋の壁板Ｗに蝶番２によって回転可能に支持されている。戸体５は、室内側Ｒｉｎへ開くものであっても良いし、室外側Ｒｏｕｔへ開くものであっても良い。
【００１７】
戸体５が外開きの場合には、戸体５の表裏間の圧力差が戸体５を閉じる方向に作用しているため、戸体５は開き難くなる。他方、戸体５が内開きの場合には、戸体５の表裏間の圧力差が戸体５を開く方向に作用しているため、戸体５は閉じ難くなる。
【００１８】
矩形状の通気口３は、戸体５の表裏を貫く。通気口３は、取っ手９よりも上方に配置されている。通気口３は、大人の平均身長よりも上方に配置されている。
【００１９】
また、通気口３は、戸体５の長辺のうち一方の辺の近傍に配置されている。
【００２０】
矩形状の引き戸体７は、戸体５の表裏のうち、より高い圧力に晒される面の側に配置されている。引き戸体７は、戸体５に設けられる枠状のレール１２によって保持されている。引き戸体７とレール１２との間、および引き戸体７と戸体５との間には、双方の滑動を円滑にする転１３が設けられている。転１３は引き戸体７に支持されている。引き戸体７と戸体５との間の転１３は、通気口３の完全閉塞を妨げ、差圧によって引き戸体７が戸体５に密着することを回避し、引き戸体７の開閉の円滑性を高めている。
【００２１】
取っ手９は、蝶番２とは逆の、戸体５の長辺のうち他方の辺の近傍に配置されている。取っ手９は、掛け金８に連動されている。
【００２２】
掛け金８は、蝶番２とは逆の、戸体５の長辺のうち他方の辺から突出している。掛け金８は、壁板Ｗに設けられる掛金穴Ｆに嵌合して、部屋の出入口Ｏを閉じる戸体５を保持して戸締まりする。また、掛け金８は、取っ手９が捻られると掛金穴Ｆから離脱し、戸体５内に埋没して戸体５を開放可能な状態にする。
【００２３】
取っ手９および掛け金８の少なくとも一方には、バネ力を負荷するスプリング（図示省略）が設けられている。スプリングのバネ力は、掛け金８を突出する方向へ作用している。
【００２４】
連動機構１１も引き戸体７と同じく、戸体５の表裏のうち、より高い圧力に晒される面の側に配置されている。連動機構１１は、引き戸体７と取っ手９とを連動させる節部材１５と、節部材１５に作用して節部材１５の重量による取っ手９の操作力への影響を軽減させる弾性部材１６と、を備えている。
【００２５】
節部材１５は、取っ手９から上方に延びる垂直部１７と、通気口３の高さで垂直部１７に連接されて、水平方向へ延びて引き戸体７に到達する水平部１８と、を含んでいる。
【００２６】
節部材１５の取っ手９側の端部１９は、ピン結合２１によって取っ手９に接続されている。戸体５の横方向（幅方向）における引き戸体７の移動量Ｌは、取っ手９の回転中心から引き戸体７までの距離に等しい。このため、引き戸体７の移動量は、取っ手９に設けられてピン結合２１を支持するブラケット２４のアーム長さによって調整される。
【００２７】
節部材１５の引き戸体７側の端部２２は、スライダー結合２３によって引き戸体７に接続されている。
【００２８】
また、節部材１５は、適宜の間隔に配置される複数の案内部材２５によって、戸体５に保持されている。それぞれの案内部材２５は、節部材１５の移動範囲において節部材１５の移動を邪魔することなく保持している。門形の案内部材２５も引き戸体７と同じく、戸体５の表裏のうち、より高い圧力に晒される面の側に配置されている。
【００２９】
弾性部材１６は、例えばスプリングである。弾性部材１６は、引き戸体７を介して間接的に、または節部材１５を直接的に、節部材１５の重量を重力に逆らって引き上げる方向へバネ力を作用させている。
【００３０】
本実施形態に係る開き戸装置１は、部屋の出入口Ｏを閉じている状態では、引き戸体７が通気口３を塞いでいるため、通気口３を通じた空気の流通は制限されている。ただし、このときであっても、開き戸装置１は、転１３による通気口３と引き戸体７との隙間から微量の空気を流通させている。この隙間を通って、室内側Ｒｉｎの空気は室外側Ｒｏｕｔへ漏れ出している。
【００３１】
部屋に入退出する者が取っ手９を捻ると、掛け金８が戸体５に没入され、戸体５が開放可能な状態になる。同時に、連動機構１１の節部材１５が引き下げられつつ蝶番２から遠ざかる。節部材１５の移動にともなって引き戸体７は移動され、通気口３は開放される。通気口３が開放されることによって、部屋の外側から内側へと通気口３を通じて空気が流れ込み、戸体５の表裏間の圧力差が緩和され、戸体５は開閉が容易になる。
【００３２】
部屋に入退出する者が取っ手９から手を離すと、スプリングのバネ力によって、掛け金８は戸体５から突出して、壁板Ｗの掛金穴Ｆに嵌合可能な状態になる。同時に、連動機構１１の節部材１５が引き上げられて蝶番２へ近づく。節部材１５の移動にともなって引き戸体７は移動され、通気口３は閉鎖される。通気口３が閉鎖されることによって、部屋の外側から内側への空気の流れが抑制されて、戸体５の表裏間の圧力差が回復し、戸体５は再び開閉し難くなる。
【００３３】
本実施形態に係る開き戸装置１は、取っ手９がバネ力に抗して回転操作されると引き戸体７を滑動させて通気口３を開く一方、取っ手９がバネ力によって初期位置に復帰されると引き戸体７を滑動させて通気口３を閉じるように取っ手９と引き戸体７とを連動させる連動機構１１を備えることによって、戸体５の開閉にともなう取っ手９の回転操作に連動させて通気口３を開き、戸体５の表裏間に作用する圧力差を緩和できる。これによって、内外に圧力差のある部屋に出入りする際、戸体５の開閉が容易になる。
【００３４】
また、本実施形態に係る開き戸装置１は、戸体５の通気口３を取っ手９に連動する連動機構１１および引き戸体７によって開閉させる簡便な構造を有するため、既設の戸体５に対しても、新設の戸体５に対しても、容易に適用できる。
【００３５】
さらに、本実施形態に係る開き戸装置１は、通気口３を取っ手９よりも上方に配置することによって、連動機構１１を取っ手９よりも上方、より好ましくは大人の平均身長よりも上方に配置することによって、部屋から入退出する者に通気口３を通じて流通する空気が吹き当ることを防いで、風圧による入退出する者の事故や怪我などを回避できる。
【００３６】
さらにまた、本実施形態に係る開き戸装置１は、節部材１５に作用して節部材１５の重量による取っ手９の操作力への影響を軽減させる弾性部材１６を備えているため、取っ手９の回転操作において通気口３を開閉させるために必要となる追加的な操作力を極力小さく抑制できる。
【００３７】
また、本実施形態に係る開き戸装置１は、戸体５の表裏のうち、より高い圧力に晒される面の側に配置される引き戸体７を備え、ひいてはレール１２や連動機構１１なども引き戸体７と同じく戸体５の表裏のうち、より高い圧力に晒される面の側に配置されることになり、既設の戸体５に対しても、新設の戸体５に対しても、容易に適用できる。特に、既設の戸体５に適用する場合においては、本実施形態に係る開き戸装置１は、極めて容易な施工を可能にする。
【００３８】
したがって、本実施形態に係る開き戸装置１によれば、室内外に圧力差を生じる部屋の出入口Ｏについて、新設であっても、既設であっても容易に適用可能であり、かつ開閉に必要な力の増大を抑制できる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１  開き戸装置
２  蝶番
３  通気口
５  戸体
７  引き戸体
８  掛け金
９  取っ手
１１  連動機構
１２  レール
１３  転
１５  節部材
１６  弾性部材
１７  垂直部
１８  水平部
１９  節部材の取っ手側の端部
２１  ピン結合
２２  節部材の引き戸体側の端部
２３  スライダー結合
２４  ブラケット
２５  案内部材
【図１】
2016023433.tif 000003
【図２】
2016023433.tif 000004
【図３】
2016023433.tif 000005
【図４】
2016023433.tif 000006